Podtech/llm-jp-corpus-v4-ja_patent huggingface dataset:
(57)【要約】      （修正有）【課題】従来のブックカバーが持つ機能に加え、本が勝手に閉じることがないようにできる上、そのままの状態で本を読むことができる機能を持つブックカバーを提供する。【解決手段】ブックカバーの表にある、本を閉じたまま開かないように固定するためのベルトを本来とは反対側で固定し、本の表紙が閉じないような機能を持ち、内側にブックカバーに内蔵されている透明のベルト５を引き、開いておきたいページを抑えるように横へ引いて透明のベルトをフック６等に掛けて使うことを特徴とする。【選択図】図５
2008006647.tif 000002
【特許請求の範囲】
【請求項１】
本が勝手に閉じてしまうのを防ぐには、ブックカバーの表に付いている本を閉じているときに開かないように固定するためのベルトを本来の方向とは反対側で固定し、本の表紙が閉じない機能に変えることができることを特徴とするブックカバー。    
【請求項２】
本が勝手に閉じてしまうのを防ぐには、ブックカバーの内側に内蔵されている透明のベルトを引き、開いておきたいページを抑えるように横へ引いてベルトおよび紐をフック等に掛け、ページを固定すると同時に取り付けた透明のベルドによってそのまま記事を読み取ることができる機能を持つことを特徴とするブックカバー。 
【発明の詳細な説明】
【技術分野】
【０００１】
この発明は、手や他の物で押さえることなく平面上に開いた本を読める状態で保持するブックカバーに関するものである。
【背景技術】
【０００２】
従来のブックカバーの形状は、本の装飾や保護等が目的とされたものである。
【発明の開示】
【発明が解決しようとする課題】
【０００３】
しかしながら、以上の技術によれば、本が勝手に閉じてしまわぬように自身で気をつけなければならず、本の傍から離れるときは何かをしなければ本が勝手に閉じてしまい、不便であった。  そこで、この発明は従来のブックカバーが持つ機能に加え、本が勝手に閉じることがないようにできる上、そのままの状態で本を読むことができる機能を持つブックカバーを提供することを課題とする。
【課題を解決するための手段】
【０００４】
以上の課題を解決するために、第一発明は、ブックカバーの表にある、本を閉じたまま開かないように固定するためのベルトを本来とは反対側で固定し、本の表紙が閉じないような機能に変えることができることを特徴とするブックカバーである。  また、第二発明は、ブックカバーに内蔵されている透明のベルトを引き、開いておきたいページを抑えるように横へ引いて透明のベルトをフック等に掛けて閉じないように固定できると同時に取り付けた透明のベルトによって記事の内容をそのまま読むことができることを特徴とするブックカバーである。
【発明の効果】
【０００５】
第一発明、または第二発明によれば、ブックカバーに本の表紙とページが勝手に閉じないような機能を設けたので、本が閉じてしまう心配をしなくて済む。
【発明を実施するための最良の形態】
【０００６】
この発明の第一実施形態を、図３に示す。  図３のブックカバー本体１外側にある３のベルトを２の回転軸から回して外側から４のベルト固定用の挟みに固定する。この発明の第二実施形態を、図５に示す。図５のブックカバー本体１の内側にある５は透明なベルトであり、この透明なベルト５を６の受け側のフックの側面に取り付け、ページが閉じなくなると同時に記事を読み取ることができるようになる。      
【０００７】
「実施形態の効果」  この第一第二実施形態によれば、本が閉じないようにすると同時に記事が読める機能によって、本が閉じる心配をしなくてもよくなる上、透明なベルト５が透明なのでページを透かせて読む事ができるので、読書に集中することができ便利である。      
【０００８】
「他の実施形態」  文庫サイズ、新書サイズ、Ａ５サイズ（教科書等）、Ｂ５サイズ（雑誌等）、Ａ４サイズなどの定型サイズに合わせ、本発明のブックカバーを製作することで、汎用性を有する例となる。
【図面の簡単な説明】
【０００９】
【図１】ブックカバー本体左表面を示す斜視図である。
【図２】ブックカバー本体右表面を示す斜視図である。
【図３】ブックカバーが閉じないように固定した例を示す表面の斜視図
【図４】ブックカバーの内面を示す斜視図
【図５】ブックカバーが閉じないように固定した例を示す内面の斜視図
【符号の説明】
【００１０】
１  ブックカバー本体            ２  ベルトの回転軸      ３  ベルト                      ４  ベルトを固定する挟み      ５  透明のベルトとフック        ６  受け側のフック  
【図１】
2008006647.tif 000003
【図２】
2008006647.tif 000004
【図３】
2008006647.tif 000005
【図４】
2008006647.tif 000006
【図５】
2008006647.tif 000007
(57)【要約】【課題】  自在にクリップとひも部を組み合わせ交換できるひも式襟どめを提供する。【解決手段】  ワイシャツなどの襟部などに使用する襟どめで、ひも部またはクリップ部に自在に取り外し交換できる機能を持たせたことを特徴とするひも式襟どめ。【選択図】図１
2008308813.tif 000002
【特許請求の範囲】
【請求項１】
ワイシャツなどの襟部などに使用する襟どめで、ひも部またはクリップ部に自在に取り外し交換できる機能を持たせたことを特徴とするひも式襟どめ。
【請求項２】
前記の自在に取り外し交換できる機能を持つひも部またはクリップ部を交換できない固着式にし、ひも部に組紐、革紐を用いた請求項１のひも式襟どめ。
【発明の詳細な説明】
【技術分野】
【０００１】  本発明は、使用者自身が服装の色彩や用途に合わせて自由に組み合わせ交換できる機能を持つひも式襟どめに関するものである。
【背景技術】
【０００２】  商品を部分的に交換して使うことができない従来の襟どめは、適合する服装の色彩や用途が限定され、使い回しも制限を受けるため、それを解決するには複数個購入する必要がある。また、使用される素材については金属中心で種類が少なく、消費者が選べる商品展開がなされておらず、多くの需要に応えきれていない。さらに、ネクタイ、ループタイに代わるものとしての商品開発が進んでいない。
【発明の開示】
【発明が解決しようとする課題】
【０００３】  （イ）使用者が用途に応じ自由に部分を組み合わせ交換して使える襟どめがない。
（ロ）素材の範囲が狭く、多様な消費者の要望に応えきれていない。
（ハ）ネクタイやループタイに代わる商品の開発が進んでいない。
（ニ）クールビズに適合する身飾品の種類が少ない。
本発明は以上の問題点を解決しようとするものである。
【課題を解決するための手段】
【０００４】  ワイシャツなどの襟部などに使用する襟どめで、ひも部またはクリップ部に自在に取り外し交換できる機能を持たせたことを特徴とするひも式襟どめである。
【発明の効果】
【０００５】  ひも部とクリップ部を自在に交換できることにより、１つの商品の利用範囲が大きく拡がる。【０００６】  多種多様な素材を用いることによって、様々な価格帯の商品を幅広く展開することが可能になる。【０００７】  単品での販売はもとより、組み合わせ交換が可能なことから様々な素材や色彩を組み合わせたセット商品としての需要が望める。【０００８】  素材として、クリップ部に漆塗、象牙、鼈甲など、ひも部に正絹組紐などの日本の感性を生かした伝統工芸品を用いることにより、伝統工芸の新たな用途を創出でき、欧米をはじめ海外向け商品としての販売も期待できる。
【発明を実施するための最良の形態】
【０００９】  以下、本発明の第１の実施形態について説明する。
（イ）２個のクリップ（１）のリング通し穴（２）にリング（３）をそれぞれ通し取り付      けてクリップ部とする。クリップの形態としては、ヘアピン方式のクリップとネク      タイクリップ方式のクリップがある。また、クリップの素材としては、各種金属に      メッキを施したもの、あるいは金、銀などの貴金属を用いる。さらに、金属製クリ      ップの前面に漆塗、象牙、鼈甲、金工、革細工、木工などの工芸品や宝玉あるいは      宝玉模造品などを貼り付けて装飾性豊かなクリップにすることもできる。
（ロ）組紐（７）の両端にカツラ（６）、小リング（５）、カニカン（４）を取り付けて      ひも部とする。ひもに使用する素材としては、組紐のほかに革紐、チェーンなども      用いられ、さらにそれらの素材を組み合わせてひも状にしたものがある。ひも部の      両先端に付ける取り外し機能を持つ金具としては、カニカンのほかに引輪、フック      などがある。
（ハ）２個のクリップ部のリング（３）に、ひも部の両先端に取り付けたカニカン（４）      または引輪、フックをそれぞれ接続する。フックの場合は、クリップのリング通し      穴（２）にフックを直接差し入れて使うこともできる。一対のクリップ部に接続さ      せるひも部の数は１本のほかに２本、３本など好みの素材、色彩のものを自在に組      み合わせ追加して使用することができる。
本発明を使用するときは、ワイシャツの場合は両端のクリップをそれぞれ襟の左右に付けて使用する。またボタンダウンシャツの場合はクリップ部を用いず、取り外し機能を持つ金具としてフックを両先端に取り付けたひも部とし、そのフックを襟部の左右襟留めボタンにそれぞれ直接引っかけて使用する。さらに本発明は、ワイシャツ、ボタンダウンシャツのみならず、２か所をクリップでとめることのできる着衣各所に用いることができる。【００１０】  以下、本発明の第２の実施形態について説明する。
第１の実施形態の２個のクリップにそれぞれフックを取り付けてクリップ部とし、両端ループ付きひも部（９）または両端リング付きひも部（１０）をそれぞれクリップ部フック（８）に引っかけて、自在にひも部を取り外し交換できるようにした形態にする。【００１１】  以下、本発明の第３の実施形態について説明する。
第１の実施形態の取り外し交換するためのカニカン、引輪、フックなどを用いず、リングで固定し交換できない形態にし、ひも部に組紐、革紐を用いる。
【図面の簡単な説明】
【００１２】
【図１】本発明の形態図  （ａ）は分解図。（ｂ）はクリップ部とひも部接続前の状態。（ｃ）はクリップ部とひも部接続時。
【図２】本発明のひも部２本接続時の形態図
【図３】本発明のクリップの形態図  （ａ）はヘアピン方式。（ｂ）はネクタイクリップ方式。
【図４】本発明のひも部先端接続部の形態図  （ａ）はカニカン。（ｂ）は引輪。（ｃ）はフック。
【図５】本発明のフック付きクリップ部方式の形態図
【図６】本発明の装着図  （ａ）はワイシャツ装着時。（ｂ）はボタンダウンシャツ装着時。
【符号の説明】
【００１３】  １  クリップ
２  リング通し穴
３  リング
４  カニカン
５  小リング
６  カツラ
７  組紐
８  クリップ部フック
９  両端ループ付きひも部
１０  両端リング付きひも部
【図１】
2008308813.tif 000003
【図２】
2008308813.tif 000004
【図３】
2008308813.tif 000005
【図４】
2008308813.tif 000006
【図５】
2008308813.tif 000007
【図６】
2008308813.tif 000008
(57)【要約】【課題】除雪作業時に使用されるグレーダのブレードによって、削り取られたり、端部が破損するといったことが起こらず、すべり止め舗装を設置している区間と設置していない区間の境界部においてもタイヤによる騒音が発生しない、すべり止め舗装施工方法を提供する。【解決手段】舗装路面に、除雪用グレーダのブレード幅（２０）より小さい幅の、単一もしくは複数の溝（１０）を、車両通行方向に形成する第１工程と、前記溝内にすべり止め舗装材料（１２）を充填する第２工程とを含むことを特徴とし、すべり止め舗装材料の上面が前記路面とほぼ面一となるように行われるすべり止め舗装施工方法。【選択図】図１
2008308972.tif 000002
【特許請求の範囲】
【請求項１】
舗装路面に溝を形成する第１工程と、前記溝内にすべり止め舗装材料を充填する第２工程と、を含むことを特徴とするすべり止め舗装施工方法。
【請求項２】
前記第１工程が、除雪用グレーダのブレード幅より小さい幅の、単一もしくは複数の溝を、車両通行方向に形成することを特徴とする請求項１に記載のすべり止め舗装施工方法。
【請求項３】
前記第２工程が、前記すべり止め舗装材料の上面が前記路面とほぼ面一となるように行われることを特徴とする請求項１または請求項２に記載のすべり止め舗装施工方法。
【請求項４】
前記すべり止め舗装材料は、高温で溶融する樹脂製すべり止め舗装材に、硬質骨材を含んでおり、前記硬質骨材の粒径が、前記溝の深さよりも小さくなるように選定されていることを特徴とする請求項１または請求項２または請求項３に記載のすべり止め舗装施工方法。
【発明の詳細な説明】
【技術分野】
【０００１】本発明は、すべり止め舗装施工方法に関する。より詳細には、積雪寒冷地の除雪作業時に摩耗、破損しにくいすべり止め舗装施工方法に関する。
【背景技術】
【０００２】寒冷地では、交差点手前、急カーブ部，急勾配部などの区間にすべり止め舗装が設置されており、すべり止め舗装材料として、アスファルトや改質アスファルトを使用せず樹脂系すべり止め舗装材が使用されている。樹脂系すべり止め舗装材は、たとえば特許文献１、特許文献２、特許文献３などに公知である。【０００３】前記すべり止め舗装の施工方法は、新設または既設の舗装面上に、すべり止め舗装材料を薄層で塗工する方法や、スプレーによる方法などがあり公知である。また、舗装道路の路面上に設けられる、センターライン、横断歩道、制限速度表示等のような種々の路面表示の施工方法について、特許文献４では、除雪作業時にグレーダ等を用いる寒冷地においても容易に消失し難い路面表示形成方法として、路面に形成された所定幅の溝内に表示材料を充填する方法が示されている。【０００４】
【特許文献１】特開平４−１００８６２号公報
【特許文献２】特開平８−２３１８８８号公報
【特許文献３】特開平１１−２１３８５号公報
【特許文献４】特開２００６−１４４２２５号公報
【発明の開示】
【発明が解決しようとする課題】
【０００５】前記すべり止め舗装の施工方法は、新設または既設の舗装面の上にすべり止め舗装材料の厚さ分突出して塗工やスプレーにより施工されているため、除雪作業時にグレーダのブレードによってすべり止め材料が削り取られることや、すべり止め舗装材料の端部がグレーダのブレードにより破損するという課題がある。【０００６】さらに、舗装面からすべり止め舗装材料の厚さ分が突出していることから、すべり止め舗装を設置している区間と設置していない区間の境界部では段差が生じ、タイヤによる騒音が発生するという課題がある。
【課題を解決するための手段】
【０００７】本発明は、前記課題を解決するためのものであって、舗装路面に溝を形成する第１工程と、前記溝内にすべり止め舗装材料を充填する第２工程とを含むことを特徴とするものである。【０００８】前記第１工程が、除雪用グレーダのブレード幅より小さい幅の、単一もしくは複数の溝を、車両通行方向に形成することを特徴とするものである。【０００９】前記第２工程は、前記すべり止め舗装材料の上面が前記路面とほぼ面一となるように行われることを特徴とするものである。【００１０】前前記すべり止め舗装材料は、高温で溶融する樹脂製すべり止め舗装材に、硬質骨材を含んでおり、前記硬質骨材の粒径が、前記溝の深さよりも小さくなるように選定されていることを特徴とするものである。
【発明の効果】
【００１１】本発明によれば、すべり止め舗装材料は、除雪用グレーダのブレード幅より小さい幅の溝内にすべり止め舗装材料の上面が前記路面とほぼ面一となるように充填されているので、除雪作業時にグレーダで路面を擦っても、削り取られることや破損することが無く、長期にわたってすべり止め効果があるすべり止め舗装が得られる。また、前記すべり止め舗装材料は、高温で溶融する樹脂製すべり止め舗装材に硬質骨材を含んでおり、前記硬質骨材の粒径が、前記溝の深さよりも小さくなるように選定されており、硬質骨材が前記溝内に留まることから、長期にわたってすべり止め効果が保持できる。【００１２】さらに、前記溝内にすべり止め舗装材料の上面が路面とほぼ面一となるように充填されているので、すべり止め舗装を設置している区間と設置していない区間の境界部に段差は生じないため、タイヤによる騒音が発生しないという効果がある。
【発明を実施するための最良の形態】
【００１３】次に図面を参照して、本発明の好ましい実施の形態に係るすべり止め舗装施工方法について詳細に説明する。図１は本発明の好ましい実施の形態に係るすべり止め舗装施工方法の工程を示した一連の図である。【００１４】本発明のすべり止め舗装施工方法では、まず、すべり止め舗装を施工する路面に、冬期の除雪作業に使用されるグレーダのブレード幅よりも小さい幅の、単一もしくは複数の溝１０を、車両進行方向に形成する（図１（ａ）参照）。【００１５】次に、溝１０の中に、すべり止め舗装材料１２を充填する（図１（ｂ）参照）。すべり止め舗装材料１２は、高温で溶融する樹脂製すべり止め舗装材と硬質骨材を含んだものであり、いずれも公知のものを使用して良い。硬質骨材はすべり止め効果があることから、溝１０の内に留まり除雪時のグレーダのブレードによる摩耗や損傷を少なくするために、硬質骨材の粒径は、溝１０の深さよりも小さくなるように選定する。【００１６】溝１０は、除雪雪作業に使用されるグレーダのブレード幅よりもやや小さい幅の、単一の溝としても良いし、通行車両のタイヤ部分のみとして複数の溝としても良いが、いずれも一つの溝の幅はブレード幅よりも小さくする。（図１（ｃ）および（ｄ）参照）【００１７】使用するすべり止め材料は、高温で溶融し常温で固化する型式のものを使用し、使用に際しては加熱し溶融状態となったものを溝１０に充填する。充填に際してはすべり止め舗装材料の上面が路面とほぼ面一となるように行う。
【図面の簡単な説明】
【００１８】
【図１】本発明の好ましい実施の形態に係るすべり止め舗装施工方法の工程を示した一連の図である。
【符号の説明】
【００１９】１０  溝１２  すべり止め舗装材料２０  除雪用グレーダのブレード幅
【図１】
2008308972.tif 000003
(57)【要約】【課題】従来から、商品銘柄以外の宣伝広告を付した飲料水を収容したペットボトルは存在し、最近、頓に需要が拡大してきているが、水の宅配用ボトルに広告を付したものは存在せず、水の宅配分野でも広告宣伝を可能とすることを目的とする。【解決手段】  給水装置の外周に着脱自在に外嵌まりする下部を四角環に形成した取付け具を介して広告を付するようにした給水装置とした。【選択図】図１
2008308234.tif 000002
【特許請求の範囲】
【請求項１】
給水装置の外周に着脱自在に外嵌まりする下部を四角環に形成した取付け具を介して広告を付するようにした請求項５記載の給水装置。
【請求項２】
外周面に直接広告を付するようにした請求項１記載の給水装置。
【請求項３】
着脱可能に棒材を用いて広告するようにした請求項１記載の給水装置。
【発明の詳細な説明】
【技術分野】
【０００１】
本発明は、特に広告を付した給水装置についてのものである。
【背景技術】
【０００２】
家庭や事業所に予め給水装置を配置しておき、飲用水を収容したボトルが宅配されている。
【０００３】
従来から、商品銘柄以外の宣伝広告を付した飲料水を収容したペットボトルは存在する（特開２００１−１３０５８０）。
【特許文献１】特開２００１−１３０５８０号公報
【発明の開示】
【発明が解決しようとする課題】
【０００４】
従来から、商品銘柄以外の宣伝広告を付した飲料水を収容したペットボトルは存在し、最近、頓に需要が拡大してきているが、水の宅配用ボトルに広告を付したものは存在しない。
【課題を解決するための手段】
【０００５】
本発明は、広告を付した給水装置であるので、給水装置の分野でも広告宣伝を可能とし、給水装置の外周に着脱自在に外嵌まりする下部を四角環に形成した取付け具を介して広告を付するようにした給水装置とした。
【０００６】
また、本発明は、具体的には、外周面に直接広告を付するようにした給水装置とした。
【０００７】
さらに、本発明は、具体的には、着脱自在に棒材を用いて広告するようにした給水装置とした。
【発明の効果】
【０００８】
本発明は、広告を付した給水装置であるので、給水装置の分野でも広告宣伝を可能とし、給水装置の外周に着脱自在に外嵌まりする下部を四角環に形成した取付け具を介して広告を付するようにした給水装置とした。
【０００９】
また、本発明は、具体的には、外周面に直接広告を付するようにした給水装置とした。
【００１０】
さらに、本発明は、具体的には、着脱自在に棒材を用いて広告するようにした給水装置とした。
【発明を実施するための最良の形態】
【００１１】
本発明を添付する図面に示す具体的な実施例に基づいて、以下詳細に説明する。
【００１２】
図１において、符号１は飲用水を暖水や冷水にして供給する給水装置、符号２は飲用水を収容し宅配されるボトル、符号３は広告媒体である。
【００１３】
給水装置１にも飲用水を供給する企業の企業名（例えばＯＳＧ）が付されて広告の機能を果している。
【００１４】
宅配されるボトル２には飲用水が収容され、その上部には細径の瓶口４を突設してあり、給水装置１まで搬入されてきたボトル２を逆さまにして瓶口４を下方に向けて、給水装置１の上部に穿設した受入れ孔５に嵌入させる。ボトル２の外周面には「Let' Water」の広告が付されている。ボトル２は通常樹脂製ボトルが使用される。
【００１５】
広告媒体３として取付け具６を介してボトル２の外周に外嵌めして装着する。本例では女性の顔と「化粧品は・・・」が表示してある。
【００１６】
図２は、他の広告例で、自動車の図形と「新車○○発表!!」の表示がしてある。
【００１７】
図３は、他の広告例で、茶碗に盛ったごはんの図形と「ごはんは・・・」の表示がしてある。
【００１８】
取付け具６は金属製、樹脂製やその他の材質のものが用いられるが金属製が好ましく、その下部は円環７に形成してある。
【００１９】
図４は、さらに他の広告例で、ボトル２の外周面に「○○商会」の広告が付してある。
【００２０】
図５は、さらに他の広告例で、棒材８をボトル２に取付け、棒材８の上部に「○○商会
」の広告が付してある。
【００２１】
本発明では、水の宅配用ボトルに広告を付することにより、常時宣伝効果が発揮される。
【００２２】
図６において、符号１１は飲用水を暖水や冷水にして供給する給水装置、符号１２は飲用水を収容し宅配されるボトル、符号１３は広告媒体である。
【００２３】
給水装置１１にも飲用水を供給する企業の企業名（例えばＯＳＧ）が付されて広告の機能を果している。
【００２４】
宅配されるボトル１２には飲用水が収容され、その上部には細径の瓶口１４を突設してあり、給水装置１１まで搬入されてきたボトル１２を逆さまにして瓶口１４を下方に向けて、給水装置１１の上部に穿設した受入れ孔１５に嵌入させる。ボトル１２は通常樹脂製ボトルが使用される。
【００２５】
広告媒体１３として取付け具１６を介して給水装置１１の外周に外嵌めして装着する。本例では女性の顔と「化粧品は・・・」が表示してある。
【００２６】
図７は、他の広告例で、茶碗に盛ったごはんの図形と「ごはんは・・・」の表示がしてある。
【００２７】
取付け具１６は、金属製、樹脂製やその他の材質のものが用いられるが金属製が好ましく、その下部は四角環１７に形成してある。
【００２８】
図８は、さらに他の広告例で、棒材１８を給水装置１１に取付け、棒材１８の上部に「○○商会」の広告が付してあり、給水装置１１の外周面に「○○商会」の広告が付してある。
【００２９】
本発明では、給水装置に広告を付することにより、常時宣伝効果が発揮される。
【産業上の利用可能性】
【００３０】
本発明は、広告を付した水の宅配用ボトルであるが、配達されるお酒の瓶に利用することもできる。
【図面の簡単な説明】
【００３１】
【図１】本発明の具体的一実施例で、ボトルを逆さまにして給水装置に連結させ、広告媒体をボトルに装着した状態の正面図である。
【図２】本発明のボトルに広告媒体を装着した正面図である。
【図３】本発明の広告媒体の斜視図である。
【図４】本発明の広告をボトルの外周面に直接付した正面図である。
【図５】本発明の棒材を用いて広告を行うボトルの正面図である。
【図６】本発明の具体的一実施例で、ボトルを逆さまにして給水装置に連結させ、広告媒体を給水装置に装着した状態の正面図である。
【図７】本発明の広告媒体の斜視図である。
【図８】本発明の棒材を用いて給水装置にて広告を行い、さらに給水装置の外周面に広告を直接付した正面図である。
【符号の説明】
【００３２】
１・１１…給水装置
２…ボトル
３・１３…広告媒体
４・１４…瓶口
５・１５…受入れ孔
６・１６…取付け具
７…円環
８・１８…棒材
【図１】
2008308234.tif 000003
【図２】
2008308234.tif 000004
【図３】
2008308234.tif 000005
【図４】
2008308234.tif 000006
【図５】
2008308234.tif 000007
【図６】
2008308234.tif 000008
【図７】
2008308234.tif 000009
【図８】
2008308234.tif 000010
(57)【要約】【課題】  従来の二輪車等の籠は路面からの衝撃や振動・揺れなどが直接伝わる為、この籠に入れた物品は傷になったり破損したりした。これを避ける為には、ブレ−キをかけてスピ−ドをコントロ−ルして路面状態に合わせ、衝撃や振動・揺れなどを小さくしなければならなかった。この操作のために移動に時間がかかったり、走行にも注意が必要だった。【解決手段】  二輪車等の籠に入れた物品を保護するために、予め籠の中に網状のゴムネットを入れて、入れる物品の重さに合わせて下・左右・前後から網状のゴムネットを引っ張り、その中に物品を入れて、その上からもう１枚の網状のゴムネットを被せることにより、物品が２枚の網状のゴムネットに包まれて、空中に浮いている状態になる。これで上下・左右・前後からの衝撃や振動・揺れなどを受けて、傷や破損から保護することが可能となる。またひったくり防止にもなる。【選択図】図５
2008308144.tif 000002
【特許請求の範囲】
【請求項１】
二輪車等の籠の内部に網状のゴムネットを取り付けることによって、移動中の籠内に入れた物品の傷や破損などからの保護を目的とする。
【請求項２】
二輪車等の籠の内部の網状のゴムネットの上から物品を入れた後、もう１枚ゴムネットを上から被せる事により、物品を上下・左右・前後からの衝撃や振動・揺れから保護し、移動中の籠内に入れた物品の飛び出し防止やひったくり防止にもなる。
【請求項３】
ネット状のため雨水等も溜らないため快適に使用できる。
【請求項４】
更にオプションとしてクッション材を籠と網状のゴムネットの間に入れる事により更に保護能力が高まる。またこの素材も穴などがあいていて雨水等も溜りにくい構造とする。
【発明の詳細な説明】
【技術分野】
【０００１】  本発明は二輪車等の移動中において籠の中に入れた物品の保護に関するものである。
【背景技術】
【０００２】  今までは籠の中に入れた物品に対しての保護などはほとんどなく、二輪車等を操作する人が衝撃や振動・揺れなどに気をつけ、スピ−ドをコントロ−ルして保護していた。【０００３】  また籠の底に段ボ−ルやゴム・ウレタン等をひいたり、紙袋を幾重にも重ねて保護するなどして工夫していた。
【特許文献１】  特開平８−１０８８７４号  広報
【実用新案文献１】
実開平６−３３７８９号  広報
【実用新案文献２】
実用新案登録第３１０８８５６号  広報
【発明の開示】
【発明が解決しようとする課題】
【０００４】  籠に入れた物品が路面からの衝撃や振動・揺れなどにより傷ついたり破損していた。【０００５】  移動中の物品を保護するためにブレ−キをかけてスピ−ドをコントロ−ルするので、移動に時間がかかったり走行にも注意が必要だった。【０００６】  本発明はこのような不愉快差から解放することを目的とする。
【課題を解決するための手段】
【０００７】  本発明は、上記の課題を解決するために籠の内部に網状のゴムネットを取り付ける事により、籠に入れた物品が路面からの衝撃や振動・揺れなどにより傷ついたり破損から保護するものである。【０００８】  また籠に入れた物品に対して大きな衝撃や振動・揺れなどがあった場合に、物品が籠から飛び出すことも予想されるため物品の上から、もう１枚の網状のゴムネットを被せることによりこれを防止でき、更にひったくり防止にも効果がある。【０００９】  更にオプションとしてクッション材を籠と網状のゴムネットの間に入れる事により更に保護能力が高まる。【００１０】  本発明は網状のゴムネットのため雨水等も溜まりにくい構造となっており、オプションとしてのクッション材にも穴などが開いていて雨水等も溜まりにくい構造となっている。
【発明の効果】
【００１１】  このように本発明は網状のゴムネットに包まれた物品が、籠の中で路面からの衝撃や振動・揺れなどを直接受けることなく、傷や破損から保護できるものである。【００１２】  また籠に入れた物品の上からもう１枚の網状のゴムネットを被せることにより、物品が籠から飛び出ることを防止でき、更にひったくり防止にも効果がある。【００１３】  更にオプションとしてクッション材を籠と網状のゴムネットの間に入れる事により更に保護能力が高まる。
【発明の実施するための最良の形態】
【００１４】  以下、本発明の形態を図１〜図５に基づいて説明する。
【００１５】  図において、１は籠の内部に入れる網状のゴムネット本体で、２は籠の中の網状のゴムネットを籠に張るために引き寄せるための紐状のもの、３は籠の中の網状のゴムネットを最上部で固定するための紐状のもので、物品の重さによって調整が必要な時がある。４は上から被せる網状のゴムネットで、５は上から被せる網状のゴムネットを固定するための紐状のもので、６は上から被せる網状のゴムネットを籠に引っ掛けたり取り外すためのフックである。７は市販の二輪車等の籠で、８は籠と籠の内部に入れた網状のゴムネット本体との隙間である。
【００１６】  図に示してある、８の籠と網状のゴムネット本体との隙間があることによって、物品を空中に浮いている状態にし衝撃や振動・揺れなどから傷や破損から保護できる。
【００１７】  また図に示してある、２の籠の中の網状のゴムネットを籠に張るために引き寄せるための紐状のもの、これにより上下・左右・前後からの衝撃や振動・揺れなどを最小限に押さえることが可能となる。
【００１８】  そして籠に入れた物品の上から、４の網状のゴムネットを被せ最適と思われる位置に、フックを籠に引っ掛けることにより、物品を空中に浮いている状態に固定し傷や破損から保護できる。また物品の飛び出しを防止でき、更にひったくり防止にもなる。
【００１９】  更にオプションとしてのクッション材を８の籠と網状のゴムネット本体との隙間に入れることにより、より保護能力が高まる。またこのクッション材には穴を開けておき雨水などが溜まりにくい物とする。そして必要に応じて籠に固定する。
【００２０】  また４の上から被せる網状のゴムネットは５によって、ゴムネット自体の盗難防止のため固定するのが望ましい。
【図面の簡単な説明】
【００２１】
【図１】  籠の内部に入れる網状のゴムネット本体図面
【図２】  籠の上から被せる網状のゴムネット本体図面
【図３】  籠に取り付けた立体図
【図４】  籠に取り付けた側面図
【図５】  籠に取り付けた正面図
【符号の説明】
【００２２】  １  籠の内部に入れる網状のゴムネット本体
２  籠の中の網状のゴムネットを籠に張るために引き寄せるための紐状のもの
３  籠の中の網状のゴムネットを最上部で固定するための紐状のもの
４  上から被せる網状のゴムネット
５  上から被せる網状のゴムネットを固定するための紐状のもの
６  上から被せる網状のゴムネットを籠に引っ掛けたり取り外すためのフック
７  市販の二輪車等の籠
８  籠と籠の内部に入れた網状のゴムネット本体との隙間
【図１】
2008308144.tif 000003
【図２】
2008308144.tif 000004
【図３】
2008308144.tif 000005
【図４】
2008308144.tif 000006
【図５】
2008308144.tif 000007
(57)【要約】      （修正有）【課題】水道水を利用してブラシを回転させる、洗車具を提供する。【解決手段】パイプ内を通した水道水の水流により、パイプの先端に吹き出し口を設け、その吹き出し口から吹き出した水が、ブラシの水受け羽に当たりブラシを回転させて洗車する。【選択図】図１
2008308143.tif 000002
【特許請求の範囲】
【請求項１】
（１）伸縮式のパイプの先に水流で回転するブラシを取り付ける。
（２）このブラシはカートリッジ式にして、取り替えることが出来る。
【請求項２】
パイプの先端に断続の切り替えを設ける。
【発明の詳細な説明】
【考案の詳細な説明】
この考案は、水に濡れるこがなく、また、従来のブラシのように洗車箇所をこすって洗車しなくて済み、高いところもスムーズに洗車でき、なおかつ、力を要しない。
【図面の簡単な説明】（１）パイプ内を流れる水の水流によって、パイプ先端から放出される水の勢いでブラシ部分にある水流受け羽で動力を得てブラシを回転させ洗車するものである。
（２）ブラシ部分は、回転軸においてネジ止めとし、簡単に交換でき、スポンジ部分は軟質及び硬質の２層からなる。
（３）噴射した水は、水流受け羽に当たり、網目の部分からスポンジを通して洗い水となる。
（４）パイプとホースの接続部に握りタイプのハンドストッパーを取り付け、節水もでき、バスの洗車等に効果的である。
【図１】
2008308143.tif 000003
【図２】
2008308143.tif 000004
【手続補正書】
【提出日】平成19年8月30日(2007.8.30)
【手続補正１】
【補正対象書類名】明細書
【補正対象項目名】全文
【補正方法】変更
【補正の内容】
【発明の詳細な説明】
【技術分野】
【０００１】  本発明は、パイプ内を通した水道水の水流により、パイプの先端に吹き出し口を設け、その吹き出し口から吹き出した水が、ブラシの水受け羽に当たりブラシを回転させて洗車する。
【背景技術】
【０００２】  パイプの水道水取り入れ口に、水流を断続できる切り替えを設ける。
【図面の簡単な説明】
【０００３】
【図１】側面断面図である。
【図２】真上からの一部断面図である。
(57)【要約】【課題】  車両の衝突の場合は、衝突の速度、形態、対象物の相違により、一定の速度、一定の圧力で減圧しても、一部のケースでしか性能が発揮できない。例えば、同じ速度のオフサイド衝突とフルラップ衝突を比較した場合でも緩衝性能を変える必要がある。  さらに、従来のダンバーやメンバーで衝突のエネルギーを吸収する方法は、予め想定した事例でしか効果が発揮できず、クラッシュが進に従って性能が著しく低下する。【解決手段】  蛇腹構造に成型した鋼板或いは、カーボン繊維で成型し、さらに、タイヤの技術を応用した硬質ゴムを複合化した高強度複合素材からなり、圧力を受けると規則的に変形するエアバッグに、排気タービンの回転で逆止弁をを制御し、或いは、排気タービンをブレーキ操作で直接制御し、エアバッグの圧力を制御することで状況に適した緩衝性能を確保する。【選択図】図１
2008308147.tif 000002
【特許請求の範囲】
【請求項１】
高強度複合素材からなり、圧力を受けると規則的に変形するエアバッグと、エアバッグの設定圧力を維持する逆止弁、減圧の過程において、排気の圧力で逆止弁を操作する排気タービンからなるインフレータで構成したエアバッグ装置。
【請求項２】
減圧の過程で、排気口後部に設けた排気タービンをブレーキ操作で制御し、エアバッグ内部の圧力を制御する請求項１記載のエアバッグ装置。
【発明の詳細な説明】
【技術分野】
【０００１】  本発明は、車両や構造物の緩衝を目的としたエアバッグ装置に関する。
【背景技術】
【０００２】  従来の車両や構造物の緩衝を目的としたエアバッグ装置は、強固なバッグに膨らんだ状態で圧力を掛けている（特許文献１参照）。
また、バッグ内に圧力センサを設け、バッグ内の圧力を計測すると共に、バッグ全体を圧力センサとしている（特許文献２参照）。【０００３】
【特許文献１】  特開２００１−１７１４５１
【特許文献２】  特開２００２−２４２２
【発明の開示】
【発明が解決しようとする課題】
【０００４】  以上に述べた従来のエアバッグ装置では、排気する過程での圧力のコントロールが困難であった。【０００５】  また、自動車の衝突の場合は、衝突の速度、形態、対象物の相違により、一定の速度、一定の圧力で減圧しても、一部のケースでしか性能が発揮できない。例えば、同じ速度のオフサイド衝突とフルラップ衝突を比較した場合、同じ安全性能を得る為には緩衝性能を変える必要がある。【０００６】  さらに、従来のダンバーやメンバーで衝突のエネルギーを吸収する方法は、予め想定した事例でしか効果が発揮できず、クラッシュが進に従って性能が著しく低下する。【０００７】  以下、自動車以外で本発明を応用できる分野での課題を表記する。【０００８】  エレベータでは、落下事故に備えて大きなスプリングをショックアブソーバーとして使用しているが高層階からの落下事故では、スプリングがリバウンドを起こし役に立たない。【０００９】  電車では、踏切や落石による車両の緩衝対策は取られていない。【００１０】  宇宙開発での惑星着地や地球帰還では、袋体のエアバッグ装置を応用しているが、袋体では、圧力を少し下げるだけで力が横方向に逃げ、岩石等に当ると役に立たない。従って、着地点を慎重に選ぶ必要があった。【００１１】  本発明は、従来の構成が有していた問題点を解決しようとするものであり、衝突のエネルギーを効果的に外部へ逃し、安全性の確保を目的としたものである。
【課題を解決すための手段】
【００１２】  上記課題を解決すための手段として、蛇腹構造に成型した鋼板或いは、カーボン繊維で成型し、さらに、タイヤの技術を応用した硬質ゴムを複合化した高強度複合素材からなり、圧力を受けると規則的に変形するエアバッグと、エアバッグの設定圧力を維持する逆止弁、減圧の過程において、排気の圧力で逆止弁を操作する排気タービンからなるインフレータで構成している。
【００１３】  上記課題解決手段による作用は次のとおりである。衝突を感知した時点で、インフレータの火薬に点火し、エアバッグ内の圧力を上昇させると共に、同時に逆止弁を前方へ押し出し排気の体制にはいる。排気は逆止弁側面に複数ある排気口から排出される。
【００１４】  激しい衝突で発生した高圧の排気は、排気タービンに回転の作用を及ぼし、後方へ移動し、スプリグを介して連動する逆止弁も後方へ移動し、排気口の面積を小さくすることでエアバッグ内の圧力を持続させる。
【００１５】  また、エアバッグ内の圧力を連続的に測定し、排気タービンをブレーキ操作で排気に抵抗を加え、エアバッグ内部の圧力を適正に制御することで車両の安全と乗員の安全性を確保する。
【００１６】  エレベータでは、エレベータシャフト内の下部に装備し、電車では、先頭車両の連結装置を連結時以外は油圧シリンダーを用いて後方へ収納する方法をとり、前部に装備した本発明のエアバッグ装置で乗員乗客の安全性を確保できる。
【発明の効果】
【００１７】  上述したように本発明のエアバッグ装置は、大きなエネルギーを高速で制御し、事故から乗員乗客の安全性確保に止まらず、危険物積載車両の車両自体の安全性を確保する。
【００１８】  また、従来のクラッシュセンサで感知できにくかった電球や道路標識の衝突も容易になり、ＳＲＳエアバッグ装置へデータの供給が可能となる。
【発明を実施するための最良の形態】
【００１９】  以下、本発明の実施の形態を図１〜図３に基づいて説明する。【００２０】  図１において、エアバッグ１１は、蛇腹構造に成型した鋼板或いは、カーボン繊維で成型し、さらに、タイヤの技術を応用した硬質ゴムを複合化した高強度複合素材からなり、インフレータ１２と組み合わせている。【００２１】  インフレータ１２には、端部に圧力センサ１４と空気の注入口１５を設け、中央には逆止弁１３と加圧と逆止弁１３を押し出す為のを火薬１６を仕込んである。逆止弁１３には排気口１３ａを設け、後方にスプリング１８と排気タービン１７を設けている。【００２２】  さらに後方の排気出口には、異物の侵入を防ぐキヤップ１９と、自然の状態で排気タービン１７の回転を防ぐ係止部１９ａを設けている。【００２３】  図２において、車両前部に装備したエアバッグ装置の更に前部に歩行者緩衝パネル３３を設け、従来のバンパを排除した構造としている。【００２４】  図３においては、車両前部のメンバー５５の先端に装備したエアバッグ５１を球体とし、最大限の圧力を掛けている。
【図面の簡単な説明】
【００２５】
【図１】本発明の実施形態を示す部分断面図
【図２】本発明の実施形態の一例を示す図
【図３】同実施形態の一例を示す図
【符号の説明】
【００２６】１１，３１，５１      エアバッグ
１２，３２，５２      インフレータ
１３      逆止弁
１３ａ    排気口
１４      圧力センサ
１５      注入口
１６      火薬
１７      排気タービン
１８      スプリング
１９      キャップ
１９ａ    係止部
３３      歩行者緩衝パネル
３４，５４    エンジン
３５      シャシー
５５      メンバー
３６，５６      車輪
３７，５７      ラジェター
【図１】
2008308147.tif 000003
【図２】
2008308147.tif 000004
【図３】
2008308147.tif 000005
(57)【要約】      （修正有）【課題】水にトルマリンを入れると酸化還元作用により、活性酸素を還元し、無害化することができ、よって、例えばラジエーター内のサビの発生を防止することができると共に還元水は人体にも抗酸化力を与えるものであり、手についても荒れることもない不凍液用添加剤及び不凍液を提供する。【解決手段】グリコール類またはアルコール類を主成分とする不凍液組成物に入れる腐食抑制剤がトルマリンであることを特徴とする不凍液用添加剤。【選択図】なし【特許請求の範囲】
【請求項１】
不凍液組成物に入れる腐食抑制剤がトルマリンであることを特徴とする不凍液用添加剤。
【請求項２】
トルマリンが粉末であることを特徴とする請求項１記載の不凍液用添加剤。
【請求項３】
グリコール類またはアルコール類を主成分とする不凍液組成物に、トルマリン粉末を入れてなることを特徴とする不凍液。
【発明の詳細な説明】
【技術分野】
【０００１】  本発明は、トルマリンを使用してなる不凍液用添加剤及び不凍液に関するものである。
【背景技術】
【０００２】  従来の技術として、腐食抑制剤を含むグリコール類を主成分とする不凍液組成物であって、炭素数１０〜２０のアルキル基の末端以外の位置において、少なくとも２つのカルボキシル基を有する脂肪族多塩基酸型界面活性剤を含む、ことを特徴とする不凍液組成物であって、前記腐食抑制剤は、硝酸塩、モリブデン酸塩、トリアゾール類、チアゾール類、リン酸塩、安息香酸塩類、脂肪族一塩基酸類、および脂肪族二塩基酸類のうちの少なくとも１つが選択されるところの不凍液組成物がある。（特許文献１参照）
【特許文献１】  特開２００２−３８１３７号公報
【発明の開示】
【発明が解決しようとする課題】
【０００３】  上記の従来例は、その成分から分かるように有害物質を多く含んでおり、人の手に触れるとアレルギー反応を起こすこともあり、手荒れを引き起こすこともあり、安全・安心な抑制剤が求められている。【０００４】  本発明は、このような従来の構成が有する問題点を解決しようとするもので、その目的は、水にトルマリンを入れると酸化還元作用により、活性酸素を還元し、無害化することができ、よって、例えばラジエーター内のサビの発生を防止することができると共に還元水は人体にも抗酸化力を与えるものであり、手についても荒れることもない。
【課題を解決するための手段】
【０００５】  本発明は上記目的を達成するために、不凍液組成物に入れる腐食抑制剤がトルマリンである。
また、トルマリンが粉末である。
さらに、グリコール類またはアルコール類を主成分とする不凍液組成物に、トルマリン粉末を入れてなることを特徴とする。
【発明の効果】
【０００６】１）、トルマリンによる水の電気分解によりマイナスイオンを発生させ、マイナスイオン    水を作り、これが酸化還元電位水となり、例えばラジエーター内で使用した場合、長    期間サビの発生を防止することができる。
２）、トルマリン粉末自体、手に触れても無害であり、安全・安心して使用できる。
３）、不凍液使用後において、廃棄する場合も、トルマリン自体水を活性化するものであ    り、水質を良くし、汚水を分解する作用も有する。
【発明を実施するための最良の形態】
【実施例】
【０００７】  不凍液組成物に入れる腐食抑制剤がトルマリン粉末である不凍液用添加剤であり、例えば３ミクロンから６ミクロンの粉末とする。【０００８】  つぎに、不凍液について説明する。
グリコール類またはアルコール類を主成分とする不凍液組成物にトルマリン粉末を入れてなるもので、４ｌの水に約１０ｇ前後入れてなるものである。
使用方法としては、従来品と同様でよい。【０００９】  上記不凍液用添加剤及び不凍液においては、自動車用のラジエーター内に入れて使用するものであるが、水冷式発電機等、色々な機器に使用できるものである。
なお、トルマリンの種類や粉末の大きさ、混合比率等、特に限定するものではない。【００１０】  参考のため、溶存水素の測定を行った。
通常、水には存在しない溶存水素がトルマリンを入れることにより、１．０８ｍｇ／ｌとなり、非常に高い酸化還元力を有する水（不凍液）となっている。
(57)【要約】      （修正有）【課題】本発明は寒冷地などにおける工事作業、スポーツ等に着用する、防寒衣類に関し、石油原料その他適宜の合成樹脂からなる発泡材の小さな粒の集合を防寒材の中綿とした、発泡材防寒衣類に関する。【解決手段】発泡材の粒（１）直径２〜６ミリ程を服の表地（２）と裏地（３）の間にある程度の膨らみを保つ量介在させ防寒衣類の中綿に使用する事を特徴とした発泡材防寒衣類である。【選択図】図１
2008013893.tif 000002
【特許請求の範囲】
【請求項１】
石油精製原料その他適宜の原料からなる発泡材の粒を集合し、衣類の中綿材として介在させる事を特徴とした発泡材防寒衣類。
【請求項２】
キルティング加工した生地の中に発泡材の粒を集合し、衣服の中綿材として介在させる事を特徴とした請求項１記載の発泡材防寒衣類。
【発明の詳細な説明】
【技術分野】
【０００１】  本発明は寒冷地などにおける工事作業、スポーツ等に着用する、防寒衣類に関し、石油原料系その他適宜の原料からなる発泡材の粒を防寒材の中綿とした、発泡材防寒衣類に関する。
【背景技術】
【０００２】  従来、防寒衣類の中綿として多く使用されているものは、羽毛もしくは綿が主流である。羽毛を多く使用した防寒衣類は防寒性、保温性に優れ軽い事が特徴である、しかし高価なものであり、その羽毛を得る為に大量の水鳥を捕獲しなければならず乱獲による生態系を変える原因にも繋がっていた。【０００３】  綿を使用した場合、優れた防寒性、保温性を保つ為には綿の量を増やさなければならずその為に衣類が重くなるなどの欠点を生じていた、又衣類に厚みが発生してしまうことで自由な動きを阻害するなどの欠点があった。【０００４】  防寒衣類の中綿材としては、多くの試作が試されてきたが、防寒性、保温性、通気性、動きやすさ、軽量化、価格と多くの問題が発生する為に、羽毛と綿が主流となっていた。【０００５】  すでに発泡材を防寒衣類の中綿材として使用する事は試みられてきたが、発泡材そのものに羽毛や綿のような柔らかさはほとんど無く、とても衣服の中綿材として使用できるものではなかった。
【発明が解決しようとする課題】
【０００６】  本発明は以上のような従来技術の問題点に鑑見てなされたものであり。防寒性、保温性に優れた発泡材を衣類の中綿材として使用する為に、ごわごわとした嵩張り感をなくし柔軟性を有する発泡材中綿を提供するものである。
【０００７】  防寒性、保温性を有し、適度な通気性と動きやすさを保ち、軽量化と低価格を実現することを目的とするものである。
【課題を解決する為の手段】
【０００８】  上述の問題を解決する為に本発明は、市販のクーラーボックスの内部材質や生鮮食料品を入れる発泡スチロール等、断熱性、保温性、軽量化において広く社会に流通し高い評価を証明されている発泡材の利点を生かし、発泡材の小さな粒を集合させることで防寒衣類の中綿に使用する事を可能にしたものである。
【０００９】  ある種の発泡材は、石油から精製されたプラスチックの一種であるポリスチレン系の直径１ミリ程の原料を蒸気にかけ容易に発泡材の粒を製造することが可能である（一次発泡）。
【００１０】  上述のように発泡材自体には羽毛や綿のような柔らかさはほとんど無い、しかし発泡材の粒（１）直径２〜６ミリ程を服の表地と裏地の間にある程度の膨らみを保つ量介在させることで、粒同士が互いにクッションとなり嵩張り感のある発泡材に弾力性と柔らかさを持たせる事が可能になる。
【発明の効果】
【００１１】  以上の事から本発明発泡材防寒衣類に使用する発泡材は、防寒性、保温性、軽量化において、建築断熱材、クーラーボックス、発泡スチロールケース等によりその効果はすでに社会で証明されている通りであり、防寒衣服の中綿材として効果を発揮するものである。
【００１２】  防寒衣類の中綿として詰め込まれた発泡材は原料に対して９０％以上が空気でできている為に軽量化はもちろんの事、丸い粒を集合させた事によりある程度の通気性を保つ事が可能である。
【００１３】  発泡材の粒はそれぞれが自由に動く為、体の伸縮に合わせて衣類の曲げ伸ばしが妨げられることなく、伸縮性を有するものである。
【００１４】  防寒衣類の中綿材としては類を見ない安価な価格であり、羽毛のように自然の動物を捕獲する必要も無く、又、発泡材はプラスチック製品としてのリサイクルも可能である。
【発明を実施する為の最良の形態】
【００１５】  以下、本発明の実施の形態を図面に基づき詳細に説明する。
【００１６】  図１に示すように、発泡材の粒（１）を袋状にキルティング加工した生地（２）の内部にある程度の弾力を保つ量介在させる。
【００１７】  キルティング加工された中綿材図１を衣類の表地（３）と裏地（４）の間に縫製する。
【００１８】  キルティングの中の発泡材は粒同士が自由に動く為に、体の動きに連動し伸縮する事が可能である。腕や肩など体を伸ばした場合にはキルティングの袋の厚みが薄くなり、生地の長さが伸びる、又、体を縮めた場合キルティングの袋が膨らみ生地の長さが縮む事になる。
【００１９】  発泡材の粒の量を調節することで、様々な服の形に対応する事が可能であり、又綿や羽毛と混合する事により同等の厚みと防寒性を保ったままの状態で、綿や羽毛の量を減らす事を可能にするものである。
【図面の簡単な説明】
【００２０】
【図１】  発泡材の粒をキルティング加工した一部断面図の斜視図
【図２】  発泡材の粒をキルティング加工した断面図
【図３】  発泡材の粒をキルティング加工した中綿材を使用した使用例図
【図４】  使用例図の一部断面図
【符号の説明】
【００２１】  １      発泡材の粒
２      生地
３      表地
４      裏地
【図１】
2008013893.tif 000003
【図２】
2008013893.tif 000004
【図３】
2008013893.tif 000005
【図４】
2008013893.tif 000006
(57)【要約】【課題】    雨天時に着用する雨着の着脱の煩わしさを軽減する、着脱簡易雨着を提供する。【解決手段】    雨天時に着用する雨着において、生地は上半身用と下半身用を分けずに繋げた状態で構成し、頸部には巾着紐を通して成るふちを設け、ふちは巾着紐により拡張可能とし、ふちを広げた時に足から体を挿入した後に巾着紐によりふちを縮め、留めて着用することで着脱の煩わしさを軽減する。以上を特徴とする着脱簡易雨着。【選択図】図１
2008013896.tif 000002
【特許請求の範囲】
【請求項１】
雨天時に着用する雨着において、生地は上半身用と下半身用を分けずに繋げた状態で構成し頸部には巾着紐を通して成るふちを設け、ふちは巾着紐により拡張可能とし、ふちを広げた時に足から体を挿入した後に巾着紐によりふちを縮め、留めて着用することで着脱の煩わしさを軽減することを特徴とする、着脱簡易雨着。
【発明の詳細な説明】
【技術分野】
【０００１】  本発明は、雨天時に着用する雨着であって、雨着の着脱の煩わしさを軽減する、着脱簡易雨着に関するものである。
【背景技術】
【０００２】  従来、雨天時に着用する雨着は下半身用を履いて、さらに上半身用を着る物が多く、雨着の着脱が煩わしかった。
【発明の開示】
【発明が解決しようとする課題】
【０００３】  そのために、次のような問題点があった。
雨天時でも雨着を着用して出かけることに抵抗があった。
【課題を解決するための手段】
【０００４】  雨天時に着用する雨着において、生地は上半身用と下半身用を分けずに繋げた状態で構成し、頸部には巾着紐を通して成るふちを設け、ふちは巾着紐により拡張可能とし、ふちを広げた時に足から体を挿入した後に巾着紐によりふちを縮め、留めて着用することで着脱の煩わしさを軽減する。以上を特徴とする着脱簡易雨着。
【発明の効果】
【０００５】  本発明は、雨着の着用の際の手順を最小限に省略し、煩わしさを軽減できる。したがって、雨天時の雨着の着用を促進できる。
【発明を実施するための最良の形態】
【０００６】  以下、本発明の実施の形態を説明する。
（イ）ビニール素材（１）からなる上半身（１ａ）と下半身（１ｂ）の繋がった雨着の頸部に巾着紐（２）を穴（２ａ）に通して成るふち（３）を設ける。
（ロ）頸部に設けたふち（３）は巾着紐（２）により拡張可能とする。
（ハ）頭部を覆う帽子（４）も穴（４ａ）に巾着紐（４ｂ）を通したものを設ける。
本発明は、以上の構成よりなっている。
本発明を使用するときは、頸部のふち（３）を巾着紐（２）により広げ足から体を挿入した後ふち（３）を首に密着させるまで縮め巾着紐（２）で留める。頭には帽子（４）をかぶり巾着紐（４ｂ）により留める。脱ぐ際には、帽子（４）の巾着紐（４ｂ）を解き、頸部のふち（３）を巾着紐（２）により緩め広げてから脱ぐ。
【図面の簡単な説明】
【０００７】
【図１】本発明の正面図
【図２】本発明の正面図
【符号の説明】
【０００８】  １    ビニール素材
１ａ  上半身
１ｂ  下半身
２    巾着紐
２ａ  穴
３    ふち
４    帽子
４ａ  穴
４ｂ  巾着紐
【図１】
2008013896.tif 000003
【図２】
2008013896.tif 000004